(57)【特許請求の範囲】
【請求項１】
洗濯機に静電霧化により帯電微粒子水を生成するための静電霧化装置を設け、静電霧化装置で生成された帯電微粒子水を洗濯機の外部に放出するための外部放出部を設けて成ることを特徴とする洗濯機。
【請求項２】
静電霧化装置で発生した帯電微粒子水を洗濯機の外部に放出するための外部放出部と、洗濯機の内部に放出するための内部放出部とを設けて成ることを特徴とする請求項１記載の洗濯機。
【請求項３】
内部放出部が回転ドラム内に帯電微粒子水を放出するものであることを特徴とする請求項２記載の洗濯機。
【請求項４】
内部放出部が、水槽の内面と、水槽内に回転自在に配置された回転ドラムの外面との間の空間に放出されるものであることを特徴とする請求項２又は請求項３記載の洗濯機。
【発明の詳細な説明】
【技術分野】
【０００１】
本発明は、静電霧化現象を利用して帯電微粒子水を生成する静電霧化装置を有する洗濯機に関するものである。
【背景技術】
【０００２】
洗濯機を設置する設置環境は、臭いの発生源（洗濯物）や湿度が高く、このため、悪臭の発生やカビが繁殖しやすいという問題があるが、従来は、せいぜい消臭剤を設置したりする程度で、これといった有効な対策はなかった。
【０００３】
また、従来の洗濯機としては、洗濯運転として、洗浄→すすぎ→脱水という一連の運転を行うもの、あるいは、洗浄→すすぎ→脱水→乾燥という一連の運転を行うものが知られている。後者の洗濯機は通常洗濯乾燥機と呼ばれており、特許文献１などにより知られている。
【０００４】
上記のいずれのタイプの洗濯機も、洗濯物を洗濯する機能があるのみで、洗濯物に付着した臭いや、洗濯機の内部に付着した臭い、あるいは、洗濯機の内部に発生する黒カビに対しては十分な対策が取られていないのが現状である。
【特許文献１】特開２００４−１９４８７６号公報
【発明の開示】
【発明が解決しようとする課題】
【０００５】
本発明は上記の従来の問題点に鑑みて発明したものであって、洗濯機を設置する設置環境の除菌、脱臭ができ、また、洗濯機内部の除菌、脱臭ができる洗濯機を提供することを課題とするものである。
【課題を解決するための手段】
【０００６】
上記課題を解決するために本発明に係る洗濯機は、洗濯機４に静電霧化により帯電微粒子水を生成するための静電霧化装置５を設け、静電霧化装置５で生成された帯電微粒子水を洗濯機４の外部に放出するための外部放出部６ａを設けて成ることを特徴とするものである。
【０００７】
このような構成とすることで、洗濯機４に設けた静電霧化装置５で生成した帯電微粒子水を外部放出部６ａから洗濯機４を設置している脱衣室や洗濯室等の設置環境に放出することで、設置環境内を帯電微粒子水が浮遊して設置環境内にある洗濯物、設置環境の壁や天井等に帯電微粒子水が付着し、帯電微粒子水に含まれる活性種により洗濯物や壁、天井等の消臭を行うと共に、除菌をして、壁や天井などにカビが発生するのを防止することができる。
【０００８】
また、静電霧化装置５で発生した帯電微粒子水を洗濯機４の外部に放出するための外部放出部６ａと、洗濯機４の内部に放出するための内部放出部６ｂとを設けることが好ましい。
【０００９】
このような構成とすることで、設置環境の脱臭、除菌に加え、洗濯機４内の脱臭、除菌を図ることができる。
【００１０】
また、内部放出部６ｂが回転ドラム３内に帯電微粒子水を放出するものであることが好ましい。
【００１１】
このような構成とすることで、回転ドラム３内に入れた洗濯物の脱臭、除菌や、あるいは、回転ドラム３の内面の脱臭、除菌ができる。
【００１２】
また、内部放出部６ｂが、水槽２の内面と、水槽２内に回転自在に配置された回転ドラム３の外面との間の空間７に放出されるものであることが好ましい。
【００１３】
このような構成とすることで、水槽２の内面と回転ドラム３の外面との脱臭、除菌ができ、特に、この部分に黒カビのようなカビの発生を防止できる。
【発明の効果】
【００１４】
本発明は、上記のように、洗濯機に設けた静電霧化装置で生成された帯電微粒子水を洗濯機の外部に放出するための外部放出部を設けてあるので、洗濯機を設置する設置環境の除菌、脱臭ができ、設置環境におけるカビの発生を防止することができ、衛生的であると共に、洗濯作業が快適にできる。
【発明を実施するための最良の形態】
【００１５】
以下、本発明を添付図面に示す実施形態に基いて説明する。
【００１６】
添付図面に示す実施形態にはそれぞれ洗濯機４として洗濯機能と乾燥機能を持った洗濯乾燥機と称される洗濯機４の例が示してある。
【００１７】
洗濯機４の外郭を構成する洗濯機本体９内には洗濯槽１０が内装してあり、洗濯槽１０は内部に回転ドラム３を配置した水槽２により構成してある。回転ドラム３は多数の小孔を形成してあり、モータ１１により回動するようになっている。水槽２には給水部１２、排水部１が設けてある。
【００１８】
また、図示を省略しているが、水槽２には温風又は冷風を噴出す噴出し口が設けてあり、温風又は冷風を水槽２内に噴出して回転ドラム３内の洗濯物を乾燥することができるようになっている。
【００１９】
洗濯槽１０には開口１３が設けてあり、該開口１３に開閉自在に扉１４が設けてある。
【００２０】
洗濯機本体９内で且つ洗濯槽１０の外部に（つまり水槽２の外部に）静電霧化装置５が設けてある。静電霧化装置５はケース２４内に入れられ、該ケース２４にはファン２６が設けてある。ケース２４には給気路１５を構成する給気ホースの一端が連通接続してあり、該給気ホースの他端が洗濯機本体９に開口して外部と連通している。また、ケース２４には放出経路８を構成する放出ホースの一端が連通接続してあり、放出ホースの他端には、図１乃至図４に示す実施形態のように１又は複数の放出部６が設けてある。
【００２１】
図１の実施形態においては、放出経路８が途中で分岐してない例であり、放出経路８の先端に設けた放出部６が洗濯機本体９の外面部に開口していて外部放出部６ａとなっている。
【００２２】
また、図２の実施形態においては、放出経路８の途中が複数の分岐経路８ａ、８ｂに分岐しており、この複数の分岐経路８ａ、８ｂのうち、分岐経路８ａの先端に設けた放出部６が洗濯機本体９の外面部に開口していて外部放出部６ａとなっている。また、別の分岐経路８ｂの先端に設けた放出部６が洗濯槽１０の内部に開口していて内部放出部６ｂとなっている。図２の実施形態では、内部放出部６ｂは洗濯槽１０の開口１３の端部に配置してあって回転ドラム３の内部に臨んでいる。
【００２３】
また、図３の実施形態においては、放出経路８の途中が複数の分岐経路８ａ、８ｃに分岐しており、この複数の分岐経路８ａ、８ｃのうち、分岐経路８ａの先端に設けた放出部６が洗濯機本体９の外面部に開口していて外部放出部６ａとなっている。また、別の分岐経路８ｃの先端に設けた内部放出部６ｂが水槽２に設けてあって、水槽２の内面と回転ドラム３の外面との間の空間７に開口していている。
【００２４】
また、図４の実施形態においては、放出経路８の途中が複数の分岐経路８ａ、８ｂ、８ｃに分岐しており、この複数の分岐経路８ａ、８ｂ、８ｃのうち、分岐経路８ａの先端に設けた放出部６が洗濯機本体９の外面部に開口していて外部放出部６ａとなっており、また、別の分岐経路８ｂの先端に設けた内部放出部６ｂ（６ｂ１）が洗濯槽１０の開口１３の端部に配置してあって回転ドラム３の内部に臨んでおり、更に別の分岐経路８ｂの先端に設けた内部放出部６ｂ（６ｂ２）が水槽２に設けてあって、水槽２の内面と回転ドラム３の外面との間の空間７に開口している。
【００２５】
上記図２乃至図４に示す実施形態において、分岐経路８ａ、８ｂの分岐部分や、分岐経路８ａ、８ｂ、８ｃの分岐部分には流路切り換え部２２が設けてある。
【００２６】
静電霧化装置５は、放電電極１７と、空気中の水分を結露水として生成することで放電電極１７に水を供給するための冷却手段と、放電電極１７に生成した結露水を静電霧化するために放電電極１７に高電圧を印加するための高電圧印加部１９とを備えている。
【００２７】
図５は本発明に用いる静電霧化装置５の概略構成図が示してある。図５に示す実施形態においてはペルチェユニット１８により冷却手段が構成してあり、冷却手段により空気中の水分を冷却して結露水を生成することで放電電極１７に水を供給するようになっている。
【００２８】
ペルチェユニット１８は、熱伝導性の高いアルミナや窒化アルミニウムからなる絶縁板の片面側に回路を形成してある一対のペルチェ回路板２７を、互いの回路が向き合うように対向させ、多数列設してあるＢｉＴｅ系の熱電素子２８を両ペルチェ回路板２７間で挟持すると共に隣接する熱電素子２８同士を両側の回路で電気的に接続させ、ペルチェ入力リード線２９を介してなされる熱電素子２８への通電により一方のペルチェ回路板２７側から他方のペルチェ回路板２７側に向けて熱が移動するように構成したものである。更に、上記一方の側のペルチェ回路板２７の外側には冷却部２１を接続してあり、また、上記他方の側のペルチェ回路板２７の外側には放熱部２０が接続してあり、実施形態では放熱部２０として放熱フィンの例が示してある。ペルチェユニット１８の冷却部２１には放電電極１７の後端部が接続してある。
【００２９】
放電電極１７は絶縁材料からなる筒体３０で囲まれており、筒体３０の周壁には筒体３０内外を連通する窓３０ａが設けてある。また、筒体３０の先端開口部にリング状をした対向電極２５が配設され、放電電極１７の軸心の延長線上にリング状の対向電極２５のリングの中心が位置するように放電電極１７と対向電極２５とが対向している。
【００３０】
上記静電霧化装置５は、ペルチェユニット１８に通電することで、冷却部２１が冷却され、冷却部２１が冷却されることで放電電極１７が冷却され、空気中の水分を結露して放電電極１７に水（結露水）を供給するようになっている。
【００３１】
このように放電電極１７に水が供給された状態で上記放電電極１７と対向電極２５との間に高電圧を印加すると、放電電極１７と対向電極２５との間にかけられた高電圧により放電電極１７の先端部に供給された水と対向電極２５との間にクーロン力が働いて、水の液面が局所的に錐状に盛り上がり（テーラーコーン）が形成される。このようにテーラーコーンが形成されると、該テーラーコーンの先端に電荷が集中してこの部分における電界強度が大きくなって、これによりこの部分に生じるクーロン力が大きくなり、更にテーラーコーンを成長させる。このようにテーラーコーンが成長し該テーラーコーンの先端に電荷が集中して電荷の密度が高密度となると、テーラーコーンの先端部分の水が大きなエネルギー（高密度となった電荷の反発力）を受け、表面張力を超えて分裂・飛散（レイリー分裂）を繰り返してマイナスに帯電したナノメータサイズの帯電微粒子水を大量に生成するようになっている。生成された帯電微粒子水は放出経路８を経て放出部６から吐出される。
【００３２】
この場合、静電霧化装置５の運転時にファン２６が運転され、ファン２６の運転により、給気路１５を経て外部空気が静電霧化装置５を入れたケース２４内に入り、放出経路８から放出部６側に流れる空気流が生じるので、この空気流に乗って帯電微粒子水が放出部６から放出される。
【００３３】
ここで、図１の実施形態においては、静電霧化装置５は洗濯機４の洗濯運転をしている時、洗濯運転をしていない時のいずれであっても、独立して運転することができるようになっており、静電霧化装置５を運転する（この時同時にファン２６も連動して運転される）ことで、外部放出部６ａからマイナスに帯電したナノメータサイズの帯電微粒子水が洗濯機４を設置した設置環境に放出される。放出された帯電微粒子水は設置環境内を浮遊して、設置環境内にある洗濯物や壁、天井に付着し、帯電微粒子水はラジカル（活性種）を有しているので、洗濯物や壁、天井等の消臭を行うと共に、除菌をして、壁や天井などにカビが発生するのを防止することができる。
【００３４】
次に、図２の実施形態につき説明する。本実施形態においては、洗濯機４に、洗濯運転モードの他に、設置環境除菌・脱臭モードを備えている。
【００３５】
設置環境除菌・脱臭モードとは、静電霧化装置５、ファン２６を運転して外部放出部６ａから洗濯機４を設置している設置環境に帯電微粒子水を放出する運転モードであり、この設置環境除菌・脱臭モードの運転は洗濯運転モードの運転とは別に独立して行うことができ、洗濯機４の洗濯運転をしている時、洗濯運転をしていない時のいずれであっても、独立して運転することができる。なお、この設置環境除菌・脱臭モードに設定すると、分岐経路８ａ側が開、分岐経路８ｂ側が閉となるように流路切り換え部２２が制御され、帯電微粒子水が外部放出部６ａから設置環境に放出される。外部放出部６ａから放出された帯電微粒子水は設置環境内を浮遊して、設置環境内にある洗濯物や壁、天井に付着し、帯電微粒子水はラジカル（活性種）を有しているので、洗濯物や壁、天井等の消臭を行うと共に、除菌をして、壁や天井などにカビが発生するのを防止することができる。
【００３６】
次に、図２に示す実施形態における洗濯運転モードにつき説明する。洗濯運転モードとしては、例えば、洗濯物を洗濯処理する洗濯運転として少なくとも２つの洗濯運転モードを有している。
【００３７】
第１の洗濯運転モードは図６のフロー図に示すようなもので、一連の洗濯運転として、洗浄（洗濯物の洗浄運転）→すすぎ（洗濯物のすすぎ運転）→脱水（洗濯物の脱水運転）→乾燥（洗濯物の乾燥運転）→除菌・脱臭（静電霧化装置５の運転）の順番で運転するモードである。
【００３８】
また、第２の洗濯運転モードは図７のフロー図に示すようなもので、一連の洗濯運転として、洗浄（洗濯物の洗浄運転）→すすぎ（洗濯物のすすぎ運転）→脱水（洗濯物の脱水運転）→除菌・脱臭（静電霧化装置５の運転）の順番で運転するモードであり、いずれかの運転モードを洗濯して指定することで制御部により自動的に運転がなされる。
上記洗濯運転モードは洗濯機４に設けた操作部（図示せず）に設けたモード選択釦を操作して選択して指定するものである。
【００３９】
本発明の洗濯機４により洗濯をするに当っては、まず、扉１４を開けて開口１３から回転ドラム３内に洗濯物を入れ、更に、洗剤を入れ、扉１４を閉じて洗濯運転モードを指定する。ここで、第１の洗濯運転モードを指定すると、排水部１を自動的に閉にすると共に給水部１２から自動的に給水をすることで、洗濯槽１０に自動的に水を張り、回転ドラム３を回動して洗浄運転を行い、洗浄運転が終了すると、すすぎ運転となり、すすぎ運転が終了すると排水して、脱水運転となり、脱水運転が終了すると乾燥運転となり、乾燥運転が終わると除菌・脱臭運転となり、静電霧化装置５の運転が開始されると同時に，ファン２６がオンとなり、また、分岐経路８ｂが開、分路経路８ａ側が閉となるように流路切り換え部２２が制御され、帯電微粒子を生成して回転ドラム３内に帯電微粒子水を放出し、一定時間後の静電霧化装置５の運転が終了すると同時にファン２６が停止し、除菌・脱臭運転が終了することで、第１の洗濯運転モードによる一連の洗濯運転が停止する。
【００４０】
また、第２の洗濯運転モードを指定すると、洗濯槽１０に自動的に水を張り、回転ドラム３を回動して洗浄運転を行い、洗浄運転が終了すると、すすぎ運転となり、すすぎ運転が終了すると排水して、脱水運転と
なり、脱水運転が終了すると除菌・脱臭運転となり（この場合、静電霧化装置５の運転が開始されると同時に、ファン２６が運転され、また、分岐経路８ｂ側が開、分路経路８ａ側が閉となるように流路切り換え部２２が制御され、帯電微粒子を生成して洗濯槽１０内に帯電微粒子水を放出し、一定時間後の静電霧化装置５の運転が終了すると同時に、ファン２６が停止し、また、除菌・脱臭運転が終了することで、第２の洗濯運転モードによる一連の洗濯運転が停止する。
【００４１】
上記いずれの洗濯運転モードで運転しても、一連の洗濯運転モードの最後の段階で静電霧化装置５を運転して帯電微粒子水により回転ドラム３内の乾燥又は脱水が終わった洗濯物の除菌・脱臭を行うことになる。
【００４２】
上記実施形態において、洗濯運転モードの最後の段階で静電霧化装置５を運転すると、帯電微粒子が生成され、回転ドラム３内に放出され、回転ドラム３内を隅々まで浮遊して乾燥又は脱水が終わった洗濯物に付着し、帯電微粒子水はラジカルを有しているので、洗濯物の除菌や脱臭をすることができる。特に、ナノメータサイズの帯電微粒子水であるから洗濯槽１０内をすみずみまで飛翔して洗濯物の繊維の内部の奥深くに浸透してより効果的に脱臭、除菌を行うことができる。
【００４３】
上記洗濯運転の最後に行われる除菌・脱臭運転の際に、洗濯物が入っている回転ドラム３を回動運転しながら帯電微粒子を回転ドラム３内に放出するようにしてもよい。この場合の回動運転は一方向にのみ回動してもよく、往復回動してもよい。このように回転ドラム３内に帯電微粒子水を放出する際に同時に洗濯物が入っている状態で回転ドラム３を回動することで、回転ドラム３内に入れた洗濯物が回転ドラム３内でかき回され、洗濯物の隅々まで帯電微粒子水を付着させることができる。
【００４４】
図２の実施形態において、洗濯運転モードの時に分岐経路８ｂが開となると同時に分岐経路８ａも開となるように流路切り換え部２２を制御してもよい。この場合は、洗濯運転モードの際に、回転ドラム３内に帯電微粒子を放出する際、同時に洗濯機４の設置環境にも帯電微粒子水を放出することができる。
【００４５】
次に、図３の実施形態につき説明する。本実施形態においては、洗濯機４に、洗濯運転モードの他に、回転ドラム裏除菌・消臭運転モードと、設置環境除菌・脱臭モードを備えている。
【００４６】
設置環境除菌・脱臭モードとは、静電霧化装置５、ファン２６を運転して外部放出部６ａから洗濯機４を設置している設置環境に帯電微粒子水を放出する運転モードであり、この設置環境除菌・脱臭モードの運転は洗濯運転モードの運転とは別に独立して行うことができ、洗濯機４の洗濯運転をしている時、洗濯運転をしていない時のいずれであっても、独立して運転することができる。なお、この設置環境除菌・脱臭モードに設定すると、分岐経路８ａ側が開、分岐経路８ｃ側が閉となるように流路切り換え部２２が制御され、帯電微粒子水が外部放出部６ａから設置環境に放出される。外部放出部６ａから放出された帯電微粒子水は設置環境内を浮遊して、設置環境内にある洗濯物や壁、天井に付着し、帯電微粒子水はラジカル（活性種）を有しているので、洗濯物や壁、天井等の消臭を行うと共に、除菌をして、壁や天井などにカビが発生するのを防止することができる。
【００４７】
次に、図３に示す実施形態における回転ドラム裏除菌・消臭運転モードにつき説明する。回転ドラム裏除菌・消臭運転モードに設定すると、静電霧化装置５、ファン２６が運転されるのであるが、この回転ドラム裏除菌・消臭運転モードによる運転中は、洗濯運転モードを受け付けず、したがって、給水部１２が閉、排水部１が開の状態が維持され、誤って水槽２内に給水部１２から水が供給されて溜まるというようなことが無いように制御部により制御される。また、分岐経路８ｃ側が開、分岐経路８ａ側が閉となるように流路切り換え部２２が制御される。
【００４８】
そして、内部放出部６ｂ（６ｂ１）からマイナスに帯電したナノメータサイズの帯電微粒子水が水槽２と回転ドラム３との間の空間７に放出することで、帯電微粒子水が該空間７内を飛翔して水槽２の内面と、回転ドラム３の外面に付着する。帯電微粒子水はラジカルを有しているので、水槽２の内面と、回転ドラム３の外面の除菌をしてこの部分に黒かびが発生するのを防止すると共に脱臭をすることができる。特に、ナノメータサイズの帯電微粒子水であるから帯電微粒子水が水槽２と回転ドラム３との間の空間７を隅々まで飛翔して水槽２の内周面、回転ドラム３の外周面の隅々に付着し、更に、回転ドラム３の周方向にわたって多数設けた小孔内に入って小孔内面に付着し、小孔内面の除菌や脱臭を行うことができる。
【００４９】
ここで、回転ドラム裏除菌・消臭運転モードに設定した際に、更に、回転ドラム３を回動する制御してもよい。この場合、回転ドラム３の回動速度は洗濯運転モード時における回転ドラム３の回動速度よりも遅く、ゆっくりと回動するようになっている。このように、回転ドラム裏除菌・消臭運転モード時に回転ドラム３が回動運転させることで、回転ドラム３の外周を万遍なく効果的に殺菌、脱臭ができ、特に、回転ドラム３に形成された多数の小孔の内面に効果的に帯電微粒子水を付着させることができて、小孔の内面の殺菌、脱臭が効果的に行えることになる。
【００５０】
回転ドラム裏除菌・消臭運転モードは運転開始から予め設定された所定時間経過すると自動的に運転が停止されるように制御されるもので、回転ドラム裏除菌・消臭運転モードが終了すると、静電霧化装置５、ファン２６がオフとなるように制御部により制御されるのである（回転ドラム裏除菌・消臭運転モードの際に回転ドラム３をゆっくり回動するものにおいては、回転ドラム裏除菌・消臭運転モードが終了すると回転ドラム３の回転も自動的に停止される）が、このとき同時に、通常の洗濯運転モードや設置環境除菌・脱臭モードを受け付け可能な状態となるように制御される。
【００５１】
次に、図４の実施形態につき説明する。本実施形態においては、洗濯機４に、洗濯運転モードの他に、回転ドラム裏除菌・消臭運転モードと、設置環境除菌・脱臭モードを備えている。
【００５２】
設置環境除菌・脱臭モードとは、静電霧化装置５、ファン２６を運転して外部放出部６ａから洗濯機４を設置している設置環境に帯電微粒子水を放出する運転モードであり、この設置環境除菌・脱臭モードの運転は洗濯運転モードの運転とは別に独立して行うことができ、洗濯機４の洗濯運転をしている時、洗濯運転をしていない時のいずれであっても、独立して運転することができる。なお、この設置環境除菌・脱臭モードに設定すると、分岐経路８ａ側が開、分岐経路８ｂ、分岐経路８ｃ側が閉となるように流路切り換え部２２が制御され、帯電微粒子水が外部放出部６ａから洗濯機４の設置環境に放出される。外部放出部６ａから放出された帯電微粒子水は設置環境内を浮遊して、設置環境内にある洗濯物や壁、天井に付着し、帯電微粒子水はラジカル（活性種）を有しているので、洗濯物や壁、天井等の消臭を行うと共に、除菌をして、壁や天井などにカビが発生するのを防止することができる。
【００５３】
次に、図４に示す実施形態における回転ドラム裏除菌・消臭運転モードにつき説明する。回転ドラム裏除菌・消臭運転モードに設定すると、静電霧化装置５、ファン２６が運転されるのであるが、この回転ドラム裏除菌・消臭運転モードによる運転中は、洗濯運転モードを受け付けず、したがって、給水部１２が閉、排水部１が開の状態が維持され、誤って水槽２内に給水部１２から水が供給されて溜まるというようなことが無いように制御部により制御される。また、分岐経路８ｃ側が開、分岐経路８ａ、分岐経路８ｃ側が閉となるように流路切り換え部２２が制御される。
【００５４】
そして、内部放出部６ｂ（６ｂ１）からマイナスに帯電したナノメータサイズの帯電微粒子水が水槽２と回転ドラム３との間の空間７に放出することで、帯電微粒子水が該空間７内を飛翔して水槽２の内面と、回転ドラム３の外面に付着する。帯電微粒子水はラジカルを有しているので、水槽２の内面と、回転ドラム３の外面の除菌をしてこの部分に黒かびが発生するのを防止すると共に脱臭をすることができる。特に、ナノメータサイズの帯電微粒子水であるから帯電微粒子水が水槽２と回転ドラム３との間の空間７を隅々まで飛翔して水槽２の内周面、回転ドラム３の外周面の隅々に付着し、更に、回転ドラム３の周方向にわたって多数設けた小孔内に入って小孔内面に付着し、小孔内面の除菌や脱臭を行うことができる。
【００５５】
ここで、回転ドラム裏除菌・消臭運転モードに設定した際に、更に、回転ドラム３を回動する制御してもよい。この場合、回転ドラム３の回動速度は洗濯運転モード時における回転ドラム３の回動速度よりも遅く、ゆっくりと回動するようになっている。このように、回転ドラム裏除菌・消臭運転モード時に回転ドラム３が回動運転させることで、回転ドラム３の外周を万遍なく効果的に殺菌、脱臭ができ、特に、回転ドラム３に形成された多数の小孔の内面に効果的に帯電微粒子水を付着させることができて、小孔の内面の殺菌、脱臭が効果的に行えることになる。
【００５６】
回転ドラム裏除菌・消臭運転モードは運転開始から予め設定された所定時間経過すると自動的に運転が停止されるように制御されるもので、回転ドラム裏除菌・消臭運転モードが終了すると、静電霧化装置５、ファン２６がオフとなるように制御部により制御されるのである（回転ドラム裏除菌・消臭運転モードの際に回転ドラム３をゆっくり回動するものにおいては、回転ドラム裏除菌・消臭運転モードが終了すると回転ドラム３の回転も自動的に停止される）が、このとき同時に、設置環境除菌・脱臭モードや後述の洗濯運転モードを受け付け可能な状態となるように制御される。
【００５７】
次に、図４に示す実施形態における洗濯運転モードにつき説明する。洗濯運転モードとしては、例えば、前述の図２に示す実施形態と同様、洗濯物を洗濯処理する洗濯運転として少なくとも２つの洗濯運転モードを有している。
【００５８】
第１の洗濯運転モードは図６のフロー図に示すようなもので、一連の洗濯運転として、洗浄（洗濯物の洗浄運転）→すすぎ（洗濯物のすすぎ運転）→脱水（洗濯物の脱水運転）→乾燥（洗濯物の乾燥運転）→除菌・脱臭（静電霧化装置５の運転）の順番で運転するモードである。
【００５９】
また、第２の洗濯運転モードは図７のフロー図に示すようなもので、一連の洗濯運転として、洗浄（洗濯物の洗浄運転）→すすぎ（洗濯物のすすぎ運転）→脱水（洗濯物の脱水運転）→除菌・脱臭（静電霧化装置５の運転）の順番で運転するモードであり、いずれかの運転モードを洗濯して指定することで制御部により自動的に運転がなされる。
上記洗濯運転モードは洗濯機４に設けた操作部（図示せず）に設けたモード選択釦を操作して選択して指定するものである。
【００６０】
本発明の洗濯機４により洗濯をするに当っては、まず、扉１４を開けて開口１３から回転ドラム３内に洗濯物を入れ、更に、洗剤を入れ、扉１４を閉じて洗濯運転モードを指定する。ここで、第１の洗濯運転モードを指定すると、排水部１を自動的に閉にすると共に給水部１２から自動的に給水をすることで、洗濯槽１０に自動的に水を張り、回転ドラム３を回動して洗浄運転を行い、洗浄運転が終了すると、すすぎ運転となり、すすぎ運転が終了すると排水して、脱水運転となり、脱水運転が終了すると乾燥運転となり、乾燥運転が終わると除菌・脱臭運転となり、静電霧化装置５の運転が開始されると同時に，ファン２６がオンとなり、また、分岐経路８ｂが開、分路経路８ａ、分岐経路８ｃ側が閉となるように流路切り換え部２２が制御され、帯電微粒子を生成して回転ドラム３内に帯電微粒子水を放出し、一定時間後の静電霧化装置５の運転が終了すると同時にファン２６が停止し、除菌・脱臭運転が終了することで、第１の洗濯運転モードによる一連の洗濯運転が停止する。
【００６１】
また、第２の洗濯運転モードを指定すると、洗濯槽１０に自動的に水を張り、回転ドラム３を回動して洗浄運転を行い、洗浄運転が終了すると、すすぎ運転となり、すすぎ運転が終了すると排水して、脱水運転となり、脱水運転が終了すると除菌・脱臭運転となり（この場合、静電霧化装置５の運転が開始されると同時に、ファン２６が運転され、また、分岐経路８ｂ側が開、分路経路８ａ、分岐経路８ｃ側が閉となるように流路切り換え部２２が制御され、帯電微粒子を生成して洗濯槽１０内に帯電微粒子水を放出し、一定時間後の静電霧化装置５の運転が終了すると同時に、ファン２６が停止し、また、除菌・脱臭運転が終了することで、第２の洗濯運転モードによる一連の洗濯運転が停止する。
【００６２】
上記いずれの洗濯運転モードで運転しても、一連の洗濯運転モードの最後の段階で静電霧化装置５を運転して帯電微粒子水により回転ドラム３内の乾燥又は脱水が終わった洗濯物の除菌・脱臭を行うことになる。
【００６３】
なお、いずれの実施形態においても、放出部６には開閉自在なシャッタを設けてもよく、この場合、目的とする放出部６から帯電微粒子水を放出する運転をする際、自動的にシャッタが自動的に開き、該運転が終了するとシャッタが自動的に閉じるようにしてもよい。これにより、静電霧化装置５を運転していない時に水やほこりが放出部６から静電霧化装置５に侵入することがない。
【００６４】
また、添付図面に示す実施形態では放電電極１７と対向電極２５との間に高電圧を印加して帯電微粒子水を生成する静電霧化装置５の例を示したが、対向電極２５を設けない場合であってもよい。
【００６５】
また、添付図面に示す実施形態においては、空気中の水分を冷却して結露水を生成することで、放電電極１７に水を供給する例を示したが、水を溜めた水タンクから任意の供給手段で放電電極１７に水を供給するようにしてもよい。
【図面の簡単な説明】
【００６６】
【図１】本発明の洗濯機の概略断面図である。
【図２】本発明の洗濯機の他の実施形態の概略断面図である。
【図３】本発明の洗濯機の他の実施形態の概略断面図である。
【図４】本発明の洗濯機の他の実施形態の概略断面図である。
【図５】同上に用いる静電霧化装置の概略構成図である。
【図６】同上の洗濯運転モードの一例を示すフロー図である。
【図７】同上の洗濯運転モードの他例を示すフロー図である。
【符号の説明】
【００６７】
２  水槽
３  回転ドラム
４  洗濯機
５  静電霧化装置
６  放出部
６ａ  外部放出部
６ｂ  内部放出部
７  空間
【図１】
0004831048.tif 000002
【図２】
0004831048.tif 000003
【図３】
0004831048.tif 000004
【図４】
0004831048.tif 000005
【図５】
0004831048.tif 000006
【図６】
0004831048.tif 000007
【図７】
0004831048.tif 000008